(57)【要約】      （修正有）【課題】夜間でも、裸電線に近づく人間に対して警告できる電気柵の警告灯を提供する。【解決手段】電気柵の警告灯であって、警告灯２は、裸電線に引っ掛けられる金属製のフック部２７と、照明部２１と、照明部２１に接続された電源部と、照明部２１と電源部との間に接続されたスイッチ制御回路部２６と、を備え、スイッチ制御回路部２６は、裸電線からフック部２７を通じて高電圧が送られるとき、照明部２１と電源部との接続をオンにして、電源部からの電流を照明部２１に供給し、裸電線からフック部を通じて高電圧が送られないとき、照明部２１と電源部との接続をオフにして、電源部からの電流を照明部２１に供給しない。【選択図】図３
0003202988.tif 000002
【実用新案登録請求の範囲】
【請求項１】
電気柵の警告灯であって、
前記電気柵は、
農耕地や果樹園などに張り巡らされた複数の裸電線と、前記裸電線を水平に保持する複数の支柱と、前記裸電線に対して所定の高電圧を所定の時間間隔で所定の短時間だけ印加する電源装置と、を備え、
前記警告灯は、
前記裸電線に引っ掛けられる金属製のフック部と、照明部と、前記照明部に接続された電源部と、前記照明部と前記電源部との間に接続されたスイッチ制御回路部と、を備え、
前記スイッチ制御回路部は、
前記裸電線から前記フック部を通じて前記高電圧が送られるとき、前記照明部と前記電源部との接続をオンにして、前記電源部からの電流を前記照明部に供給し、
前記裸電線から前記フック部を通じて前記高電圧が送られないとき、前記照明部と前記電源部との接続をオフにして、前記電源部からの電流を前記照明部に供給しない
ことを特徴とする電気柵の警告灯。
【請求項２】
前記警告灯は、非電導性のプレート部と、前記プレート部の表面に付されると共に、前記電気柵に近づく人に警告する文字と、を備え、
前記プレート部は、前記照明部を挿通して取り付ける孔部を備え、
前記電源部及び前記スイッチ制御回路部は、前記プレート部の裏面に設けられている
ことを特徴とする請求項１に記載の電気柵の警告灯。
【請求項３】
さらに、前記プレート部の裏面に設けられると共に、前記フック部に接続された長い第１胴パターンを備え、
前記第１胴パターンは、前記フック部が前記裸電線に引っ掛けられるとき、前記裸電線に近接して平行に延びる
ことを特徴とする請求項２に記載の電気柵の警告灯。
【請求項４】
さらに、前記プレート部の裏面に設けられると共に、前記電源部に接続された長い第２胴パターンを備え、
前記第２胴パターンは、前記フック部が前記裸電線に引っ掛けられるとき、前記裸電線に近接して平行に延びる
ことを特徴とする請求項２に記載の電気柵の警告灯。
【考案の詳細な説明】
【技術分野】
【０００１】
本考案は、夜間に電気柵に近づく人に対して、電気柵が存在することを警告するための電気柵の警告灯に関する。
【背景技術】
【０００２】
農耕地や果樹園などでは、クマ、イノシシ、シカなどの野生動物が侵入して、農作物を食い荒らすことがある。そのため、野生動物が農耕地や果樹園などに侵入しないように、電気柵を設置することがある。
【０００３】
電気柵は、特許文献１の通り、農耕地や果樹園などに張り巡らされた複数の裸電線と、裸電線を水平に保持する複数の支柱と、裸電線に対して所定の高電圧を所定の時間間隔で所定の短時間だけ印加する電源装置と、を備える。そして、農耕地や果樹園などに侵入しようとする野生動物が、裸電線に接触して、裸電線に印加された電圧の電撃によって撃退される。
【０００４】
ところで、裸電線に人間が接触すると、人間に対して、裸電線に印加された電圧の電撃が加えられるので、非常に危険である。そのため、「さわるな危険！」等の警告文字が付された警告表示板が、裸電線に引っ掛けられ、裸電線に近づく人間に対して警告を促している。しかしながら、この警告表示板は単なる木製の板材なので、夜間では警告表示板が目立たず、人間が裸電線に接触する事故が多発していた。
【先行技術文献】
【特許文献】
【０００５】
【特許文献１】特開２０１０−５１２７０号公報
【考案の概要】
【考案が解決しようとする課題】
【０００６】
そこで、本考案が解決しようとする課題は、夜間でも、裸電線に近づく人間に対して警告できる電気柵の警告灯を提供することである。
【課題を解決するための手段】
【０００７】
上記課題を解決するために、本考案に係る電気柵の警告灯では、
電気柵は、
農耕地や果樹園などに張り巡らされた複数の裸電線と、裸電線を水平に保持する複数の支柱と、裸電線に対して所定の高電圧を所定の時間間隔で所定の短時間だけ印加する電源装置と、を備え、
警告灯は、
裸電線に引っ掛けられる金属製のフック部と、照明部と、照明部に接続された電源部と、照明部と電源部との間に接続されたスイッチ制御回路部と、を備え、
スイッチ制御回路部は、
裸電線からフック部を通じて高電圧が送られるとき、照明部と電源部との接続をオンにして、電源部からの電流を照明部に供給し、
裸電線からフック部を通じて高電圧が送られないとき、照明部と電源部との接続をオフにして、電源部からの電流を照明部に供給しない。
【０００８】
好ましくは、
警告灯は、非電導性のプレート部と、プレート部の表面に付されると共に、電気柵に近づく人に警告する文字と、を備え、
プレート部は、照明部を挿通して取り付ける孔部を備え、
電源部及びスイッチ制御回路部は、プレート部の裏面に設けられている。
【０００９】
好ましくは、
さらに、プレート部の裏面に設けられると共に、フック部に接続された長い第１胴パターンを備え、
第１胴パターンは、フック部が裸電線に引っ掛けられるとき、裸電線に近接して平行に延びる。
【００１０】
好ましくは、
さらに、プレート部の裏面に設けられると共に、電源部に接続された長い第２胴パターンを備え、
第２胴パターンは、フック部が裸電線に引っ掛けられるとき、裸電線に近接して平行に延びる。
【考案の効果】
【００１１】
本考案に係る電気柵の警告灯では、照明部は、電源部からの電流で点灯する。電気柵の裸電線からの高電圧の電流を照明部に供給すると、照明部が故障するおそれがあるが、本考案では、所定の電源部からの電流を照明部に供給するので、照明部が故障するおそれがない。
【００１２】
さらに、本考案では、スイッチ制御回路部が、裸電線からフック部を通じて高電圧が送られるとき、電源部からの電流を照明部に供給し、裸電線からフック部を通じて高電圧が送られないとき、電源部からの電流を照明部に供給しない。そのため、照明部が、常時点灯しないので、電源部の消費電流を最小限にできる。
【００１３】
さらに、本考案では、電源装置が、裸電線に対して所定の高電圧を所定の時間間隔で所定の短時間だけ印加するので、照明部が、所定の時間間隔で点灯と消灯とを繰り返すので、電気柵に近づく人間に対する注意を喚起できる。
【図面の簡単な説明】
【００１４】
【図１】電気柵を示す斜視図。
【図２】警告灯を示し、（Ａ）は表面図、（Ｂ）は裏面図。
【図３】警告灯の一部を示す回路図。
【考案を実施するための形態】
【００１５】
以下、図面に基づいて、本考案に係る電気柵の警告灯について説明する。
【００１６】
図１の通り、電気柵１は、農耕地や果樹園などに張り巡らされた複数の裸電線１０と、裸電線１０を水平に保持する複数の支柱１１と、裸電線１０に対して所定の高電圧を所定の時間間隔で所定の短時間だけ印加する電源装置１２と、を備える。裸電線１０は、導電線が露出している。
【００１７】
電源装置１２は、出力端子１２０を備え、この出力端子１２０と裸電線１０とが、出力線１２１を介して接続されている。電源装置１２は、アース端子１２２を備え、このアース端子１２２と地中に埋め込まれたアース棒１２４とが、アース線１２３を介して接続されている。
【００１８】
野生動物が、電気柵１で囲まれた農耕地等に侵入しようとして、裸電線１０に接触すると、電源装置１２からの高電圧の電流が、出力端子１２０から出力線１２１へ流れて、裸電線１０を介して野生動物へ流れ、野生動物から地中を通じてアース棒１２４へ流れて、アース線１２３からアース端子１２２へ流れる。これによって、野生動物は、電撃を受ける。
【００１９】
裸電線１０に人間が接触すると、人間に対して、裸電線１０に印加された電圧の電撃が加えられるので、非常に危険である。そのため、「さわるな危険！」等の警告文字が付された警告灯２が、裸電線１０に引っ掛けられ、裸電線に近づく人間に対して警告を促している。
【００２０】
図２（Ａ）の通り、警告灯２は、木製等の非電導性のプレート部２０を備える。プレート部２０の表面２０ａには、「さわるな危険！」の警告文字２８が付されている。警告灯２は、裸電線１０に引っ掛けられる金属製の一対のフック部２７を備える。警告灯２は、小型の赤色ＬＥＤからなる複数の照明部２１を備える。プレート部２０は、複数の孔部２２を備え、この孔部２２に照明部２１が挿通されて取り付けられている。
【００２１】
図２（Ｂ）の通り、プレート部２０の裏面２０ｂには、フック部２７に接続された長い第１胴パターン２３を備える。第１胴パターン２３は、フック部２７が裸電線１０に引っ掛けられるとき、裸電線１０に近接して平行に延びる。これにより、フック部２７が裸電線１０から外れても、裸電線１０に流れる高電圧の電流を取り込むことができる。
【００２２】
また、プレート部２０の裏面２０ｂには、後述する電源部２５（図３）に接続された長い第２胴パターン２４を備える。第２胴パターン２４は、フック部２７が裸電線１０に引っ掛けられるとき、裸電線１０に近接して平行に延びる。これにより、後述する回路のアースとして作用する。
【００２３】
図３の通り、警告灯２の裏面２０ｂには、照明部２１に接続された電源部２５と、照明部２１と電源部２５との間に接続されたスイッチ制御回路部２６と、が設けられている。本実施形態では、電源部２５は、プレート部２０に取り付け可能な乾電池からなる。また、スイッチ制御回路部２６は、トランジスタ２６０、ＡＮＤゲート２６１等の電子部品で構成されている。
【００２４】
スイッチ制御回路部２６は、裸電線１０からフック部２７を通じて高電圧が送られるとき、照明部２１と電源部２５との接続をオンにして、電源部２５からの電流を照明部２１に供給し、さらに、裸電線１０からフック部２７を通じて高電圧が送られないとき、照明部２１と電源部２５との接続をオフにして、電源部２５からの電流を照明部２１に供給しないように構成されている。
【００２５】
本実施形態では、フック部２７からの電流が、コンデンサに送られ、トランジスタで増幅されて、ダイオードで整流するように構成されている。そして、整流された電流が、スイッチ制御回路部２６に送られて、ＡＮＤゲート２６１及びトランジスタ２６０へ送られる。
【００２６】
本実施形態では、複数の照明部２１が、プレート部２０の表面２０ａに向けられている。他の実施形態では、複数の照明部２１が、例えば、円筒形の透明ケース内に設けられており、各照明部２１が、それぞれ別の方向に向けられており、様々な方向から警告できるように構成されている。
【００２７】
警告灯２では、照明部２１は、電源部２５からの電流で点灯する。電気柵の裸電線１０からの高電圧の電流を照明部に供給すると、照明部２１が故障するおそれがあるが、乾電池等の電源部２５からの低電圧の電流を照明部２１に供給するので、照明部２１が故障するおそれがない。
【００２８】
さらに、スイッチ制御回路部２６が、裸電線１０からフック部２７を通じて高電圧が送られるとき、電源部２５からの電流を照明部２１に供給し、裸電線１０からフック部２７を通じて高電圧が送られないとき、電源部２５からの電流を照明部２１に供給しない。そのため、照明部２１が、常時点灯しないので、電源部２５の消費電流を最小限にできる。
【００２９】
さらに、電源装置１２が、裸電線１０に対して所定の高電圧を所定の時間間隔で所定の短時間だけ印加するので、照明部２１が、所定の時間間隔で点灯と消灯とを繰り返すので、電気柵１に近づく人間に対する注意を喚起できる。
【符号の説明】
【００３０】
１  電気柵
２  警告灯
１０  裸電線
１１  支柱
１２  電源装置
２０  プレート部
２０ａ  プレート部の表面
２０ｂ  プレート部の裏面
２１  照明部
２２  孔部
２３  第１胴パターン
２４  第２胴パターン
２５  電源部
２６  スイッチ制御回路部
２７  フック部
２８  警告文字
【図１】
0003202988.tif 000003
【図２】
0003202988.tif 000004
【図３】
0003202988.tif 000005